(57)【要約】【課題】ミキイトが互いに絡み合うことがなく、使用性に優れると共に、小型化、軽量化を図れ、携帯や保管するのに便利であると共に、低価格に提供できるイカヅノ投入器を提供する。【解決手段】保持板６の先端に複数の第１の保持部１１を設けると共に、一対の折り畳み式アーム４それぞれを、保持板６の板面と略直交する方向でかつ互いに略平行をなすように延ばしたときに、アーム４それぞれに両端が着脱可能に結合されて、保持板６と略平行をなす保持片５を設け、保持片５の先端に複数の第２の保持部１６を設け、セット時には、第１の保持部１１に、ミキイト２２のイカヅノ接続部の近傍部分を保持し、第２の保持部１６に、ミキイト２２の隣接部を２つ折りにした状態で保持して、ミキイト２２の位置を確実に保持できるようにした。【選択図】  図１
2005046017.tif 000002
【特許請求の範囲】
【請求項１】
基台に、複数個の有底の筒状ポケットを直線状に等間隔で並設する一方、
前記基台に筒状ポケットの底部から張り出す保持板を設け、該保持板の先端に筒状ポケットの並設方向に等間隔で並ぶ複数の第１の保持部を設けると共に、
前記基台の両端部に、それぞれ筒状ポケットの軸線と略直交して延びる一対の折り畳み式アームそれぞれの一端を回動自由に連結し、
前記アームそれぞれを、保持板の板面と略直交する方向でかつ互いに略平行をなすように延ばしたときに、該アームそれぞれに両端が着脱可能に結合されて、保持板と略平行をなす保持片を設け、
前記保持片の先端に筒状ポケットの並設方向に等間隔で並ぶ複数の第２の保持部を設け、
セット時には、ミキイトに接続されたイカヅノを、筒状ポケットそれぞれに落とし込んで収納し、第１の保持部には、ミキイトのイカヅノ接続部の近傍部分を保持し、第２の保持部には、ミキイトの隣接部を２つ折りにした状態で保持したことを特徴とするイカヅノ投入器。
【請求項２】
前記筒状ポケットの内底面にイカヅノが磁気吸着可能なマグネットを取り付けたことを特徴とする請求項１記載のイカヅノ投入器。
【請求項３】
前記保持片の両端にアームに磁気吸着可能なマグネットを取り付けたことを特徴とする請求項１または２記載のイカヅノ投入器。
【請求項４】
前記アームは、互いに回動自由に連結されて折り畳み可能な複数のアーム部材からなることを特徴とする請求項１〜３のうちいずれか１つに記載のイカヅノ投入器。
【請求項５】
前記保持板および保持片は、それぞれ可撓性かつ耐水性を有する素材からなることを特徴とする請求項１〜４のうちいずれか１つに記載のイカヅノ投入器。
【発明の詳細な説明】
【０００１】
【発明の属する技術分野】
本発明は、ヤリイカ、スルメイカなどの多点掛け釣法に用いるイカヅノ投入器に関し、特に、携帯性、使用性、価格性などの全てに優れたイカヅノ投入器に関する。
【０００２】
【従来の技術】
従来、ヤリイカ、スルメイカなどの多点掛け釣法において、その仕掛け構成は、次のようになっている。
すなわち、ミチイトの先端に長尺のミキイトを繋いでおき、このミキイトの途中に等間隔を開けて複数のハリスを接続し、それぞれのハリス先端にイカヅノを繋ぎ、さらに、ミキイトの先端に錘を付けた構成である。
このような多点掛け釣法の仕掛け構成は、一投分の仕掛けに対して複数のイカヅノを設けた構成であるため、それぞれのイカヅノが絡み合わないように分離しておき、この分離した状態を保って海中に投入する必要がある。
【０００３】
このため、所謂、イカヅノ投入器なるものが一般に使用されるのが通例である。
かかるイカヅノ投入器は、一般に、複数の収納筒を備えており、使用時に各収納筒の開口端を上に向けて船縁に斜めに立て掛けたり、紐やねじで垂直若しくは斜めに取り付けるなどの方法により支持し、各イカヅノを各収納筒内に順次落とし込んで収納し、錘を海中に投げ込むことにより、それに引かれて各収納筒内のイカヅノが順次収納筒から滑り出して、海中に投入されるようになっている。
【０００４】
例えば、実開平６−５５３６９号公報に示すイカヅノ投入器は、薄板基台の一側の両端に袖部を突出形成し、この袖部を設けた一側に沿って複数個の筒状のポケットをそれぞれの開口側が薄板基台の縁部から突出する状態で等間隔に並設すると共に、各ポケットの下端部を薄板基台に対して取り外し可能にねじ固定し、ポケットを並設した反対側の薄板基台の縁部に沿う複数の切り込みを等間隔で設けたものである。
【０００５】
また、実開平５−８０２７０号公報に示すイカヅノ投入器は、船縁などに固定される支持台と、筒型のイカヅノ投入体と、からなり、このイカヅノ投入体を、その各イカヅノ収納筒の開口端を略上方に向けた起立状態と略前方に向けた前上がり傾斜の前倒し状態とに変位自在に支持台に対して連結すると共に、イカヅノ投入体を、各イカヅノ収納筒の前倒し状態で、支持台上に係脱自在に保持している。
そして、セットする場合には、イカヅノ投入体を垂直においた状態で、ミキイトに所定間隔でハリスを介して接続されたイカヅノを収納筒に順次落とし込み、先端の錘を収納筒外に保持するようになっている。
【０００６】
【特許文献１】
実開平６−５５３６９号公報
【０００７】
【特許文献２】
実開平５−８０２７０号公報
【発明が解決しようとする課題】
しかし、このような従来のイカヅノ投入器にあっては、次のような問題点があった。
すなわち、前者のものでは、ミキイトの隣接部を２つ折りにした部分が、切り込みに挟まれて位置が固定されるが、ミキイトのイカヅノ接続部分は位置が固定されていないため、強風や振動などの影響で、ミキイトが煽られると、ミキイトの隣接する部分が互いに絡み合い、イカヅノを投入できなくなる場合が発生すると共に、絡み合った部分を解くのに、多大な手間を要し、釣りにも支障を来し、使用性が悪い。
特に、ミキイトが長い場合には、より絡み合い易い。また、薄板基台は、面積が広いため、全体の大型化、重量化を来し、携帯するのに不便であるなど、運搬にも支障を来すし、材料費が嵩むため、価格的にも高価となってしまう。
【０００８】
後者のものでは、ミキイトにハリスを介して接続されたイカヅノが収納筒に落とし込まれた状態では、ミキイトの略全体が収納筒内に挿入されて位置が固定されているので、強風や振動などの影響で、ミキイトが煽られず、ミキイトの隣接する部分が互いに絡み合うことがない。
しかし、収納筒が長くなるため、やはり、全体の大型化や重量化が否めず、携帯するのに不便であるなど、運搬にも支障を来す。また、材料費が嵩むため、価格的にも高価となってしまう。
【０００９】
本発明は、上記のような課題を解決するためなされたものであり、強風などの影響で、ミキイトの隣接する部分が互いに絡み合うことがなく、使用性に優れると共に、小型化、軽量化を図れ、携帯するのに便利であるなど、運搬性にも優れ、低価格などを図れるイカヅノ投入器を提供することを目的とする。
【００１０】
【課題を解決するための手段】
このため、請求項１に係る発明のイカヅノ投入器は、基台に、複数個の有底の筒状ポケットを直線状に等間隔で並設する一方、前記基台に筒状ポケットの底部から張り出す保持板を設け、該保持板の先端に筒状ポケットの並設方向に等間隔で並ぶ複数の第１の保持部を設けると共に、前記基台の両端部に、それぞれ筒状ポケットの軸線と略直交して延びる一対の折り畳み式アームそれぞれの一端を回動自由に連結し、前記アームそれぞれを、保持板の板面と略直交する方向でかつ互いに略平行をなすように延ばしたときに、該アームそれぞれに両端が着脱可能に結合されて、保持板と略平行をなす保持片を設け、前記保持片の先端に筒状ポケットの並設方向に等間隔で並ぶ複数の第２の保持部を設け、セット時には、ミキイトに接続されたイカヅノを、筒状ポケットそれぞれに落とし込んで収納し、第１の保持部には、ミキイトのイカヅノ接続部の近傍部分を保持し、第２の保持部には、ミキイトの隣接部を２つ折りにした状態で保持したことを特徴とする。
【００１１】
請求項２に係る発明のイカヅノ投入器は、前記筒状ポケットの内底面にイカヅノが磁気吸着可能なマグネットを取り付けたことを特徴とする。
【００１２】
請求項３に係る発明のイカヅノ投入器は、前記保持片の両端にアームに磁気吸着可能なマグネットを取り付けたことを特徴とする。
【００１３】
請求項４に係る発明のイカヅノ投入器は、前記アームは、互いに回動自由に連結されて折り畳み可能な複数のアーム部材からなることを特徴とする。
【００１４】
請求項５に係る発明のイカヅノ投入器は、前記保持板および保持片は、それぞれ可撓性かつ耐水性を有する素材からなることを特徴とする。
【００１５】
（作用）
次に、かかる発明の作用について説明する。
請求項１に係る発明のイカヅノ投入器において、アームそれぞれを延ばして、保持板の板面と略直交する方向でかつ互いに略平行をなすようにし、アームそれぞれに保持片の両端を結合し、保持板と略平行をなすようにする。
そして、第１と第２の保持部を船などの内方に向け、基台を船縁などに載置して固定する。
【００１６】
仕掛けは、例えば、ミキイトの途中に等間隔を開けて複数のハリスをそれぞれチチワを介して接続し、個々のハリス先端にはイカヅノを繋ぎ、ミキイトの先端には錘を付ける。
上記の固定状態では、各筒状ポケットが船縁などから突出する一方、保持板の第１の保持部が上方に位置し、保持片の第２の保持部が下方に位置する。
【００１７】
各筒状ポケットには、イカヅノが挿入され、筒状ポケット内に保持される。
一方、保持板の第１の保持部には、ミキイトのイカヅノ接続部の近傍部分を保持し、保持片の第２の保持部には、ミキイトの隣接部を２つ折りにした状態で保持しておく。
【００１８】
そして、例えば、錘などを海中に投げ込むことにより、それに引かれて各筒状ポケット内のイカヅノが順次筒状ポケットから滑り出して、海中に投入される。
したがって、ミキイトの位置を上下の保持部で確実に保持でき、該保持部からミキイトが外れることはないので、強風や荒波による振動などの影響で、ミキイトが煽られて、隣接する複数のミキイトが互いに絡み合うことがなく、セットも素早く簡単に行うことができる。また、イカヅノ投入時には、ミキイトが引っかかることなく上記保持部からスムーズに飛び出し投入できると共に、ミキイトの絡み合った部分を解く必要がないため、多大な手間を要せず、効率良く釣りを行うことができ、使用性が良好である。
【００１９】
また、保持片を分離可能にし、使用時には、アームを延ばし、このアームに保持片を結合し、使用しないときには、保持片を外して、アームを小さく畳むように構成したから、不使用時には、全体を小型、コンパクトにすることができ、面積や重量も低減することができるため、携帯するのにすこぶる便利であるなど、運搬も簡単に行え、保管にも有利である。
さらに、構成も簡単で、材料費も低減できるため、価格的に安価に提供することができる。
【００２０】
請求項２に係る発明において、各筒状ポケット内底面には、イカヅノが磁気吸着可能なマグネットを取り付けるようにしたから、イカヅノを筒状ポケット内部に確実に保持することができ、振動などで、イカヅノが筒状ポケットから飛びだしてしまうことがない。しかも、マグネットであるため、イカヅノの投入にも支障を来すことがない。
【００２１】
請求項３に係る発明において、保持片の長手方向の両端下面にマグネットを取り付け、保持片をアームに磁気吸着させて組み付けるようにしたから、ワンタッチでアームに対して着脱することができ、作業性が良好であり、しかも、アームに対する保持片の組み付け位置を任意で調整できるため、ミキイトの長さに応じて、保持板から保持片までの長さを容易に調整できる。
【００２２】
請求項４に係る発明において、アームを、それぞれ互いに回動自由に連結されて折り畳み可能な複数のアーム部材から構成したから、使用時にはアームを長くすることができ、不使用時にはアームを短く畳むことができ、使用性を向上しつつ、コンパクト化も図ることができる。
【００２３】
請求項５に係る発明において、保持板と保持片とを、可撓性かつ耐水性を有するスポンジなどの素材により形成したから、ミキイトを保持部に保持し易く、イカヅノのやりとりが容易であるなど、作業性が良好であると共に、海水に対しても強度的に優れたものとすることができる。
【発明の実施の形態】
以下、添付された図面を参照して本発明の実施の形態を詳述する。
図１〜図３において、イカヅノ投入器１は、基台２と、複数個の有底の筒状ポケット３と、一対の折り畳み式アーム４と、保持片５と、から構成されている。
【００２４】
基台２は、保持板６と、この保持板６の一方の板面に固定された取付ブラケット７とからなる。保持板６は、可撓性かつ耐水性を有するスポンジなどの素材から構成されている。
取付ブラケット７の保持板６側と反対側には、取付ベルト８が固定取付されており、この取付ベルト８の両端は、取付ブラケット７の両端からそれぞれ張り出すようになっている。
【００２５】
そして、基台２には、複数の筒状ポケット３が直線状に等間隔で並設固定されている。
この場合、各筒状ポケット３は、一端が有底の円筒体からなり、他端の開口側が保持板６の縁部から突出する状態で並設されている。
また、各筒状ポケット３は、底部が取付ブラケット７に取り付けられており、内底面には、後述するイカヅノ９が磁気吸着可能なマグネット１０が取り付けられている。
【００２６】
前記保持板６の先端は、筒状ポケット３の底部から張り出されており、この先端に筒状ポケット３の並設方向に沿って等間隔で並ぶ複数の第１の保持部１１が設けられている。
各第１の保持部１１は、テーパ状のガイド溝１１Ａ、線状の切線１１Ｂ、円形の孔１１Ｃから構成されている。
【００２７】
前記一対の折り畳み式アーム４は、それぞれ互いにボルト・ナット１２などで回動自由に連結されて折り畳み可能な２つのアーム部材４Ａ，４Ｂから構成されており、一方のアーム部材４Ａそれぞれの基端は、アーム４が筒状ポケット３の軸線と略直交して延びるように、取付ブラケット７の両端部にボルト・ナット１３などで回動自由に連結されている。
なお、各アーム部材４Ａ，４Ｂは、鉄、ステンレス等の磁気吸着金属から構成されている。
【００２８】
前記保持片５は、図４（Ａ）（Ｂ）に示すように構成され、可撓性かつ耐水性を有するスポンジなどの素材から長尺の方形板状に形成され、長手方向の両端下面には、桟部材１４を介してマグネット１５が取り付けられている。
また、保持片５の先端には、筒状ポケット３の並設方向に沿って等間隔で並ぶ複数の第２の保持部１６が設けられている。
各第２の保持部１６は、テーパ状のガイド溝１６Ａ、線状の切線１６Ｂ、円形の孔１６Ｃから構成されている。
【００２９】
そして、保持片５は、一対の折り畳み式アーム３それぞれを保持板６の板面と略直交する方向でかつ互いに略平行をなすように延ばしたときに、マグネット１５がアーム４それぞれに磁気吸着されて、保持板６と略平行をなし、さらに、第２の保持部１６が第１の保持部１１と対峙するようになっている。
【００３０】
なお、図５に示すように、可撓性かつ耐水性を有するスポンジなどの素材からなる方形板１８に予め複数の第１の保持部１１と第２の保持部１６とを設けておき、この方形板１８を線１８Ａにしたがって切断して、保持板６と保持片５とを形成すれば良い。
なお、保持板６において、１９は、ミキイトの錘接続部分などを挟むための切り込みである。
【００３１】
かかるイカヅノ投入器１の使い方について説明する。
先ず、図１〜図３に示すように、一対の折り畳み式アーム４それぞれを延ばして、基台２の保持板６の板面と略直交する方向でかつ互いに略平行をなすようにし、アーム４それぞれに保持片５を、その両端のマグネット１５を介して固定し、保持片５を保持板６と略平行をなすようにする。
そして、第１と第２の保持部１１、１６を船の内方に向け、取付ブラケット７の両端からそれぞれ張り出す取付ベルト８の両端を図１に示すように船縁２０に載置して、取付ベルト８の両端と船縁２０とを図示しないバイスなどを用いてクランプする。
なお、片方のバイスは、釣り竿２１を載置できる構成とすると良い。
【００３２】
仕掛けは、従来と同様であって、図２に示すように、ミキイト２２の途中に等間隔を開けて複数のハリス２３をそれぞれチチワ２４を介して接続し、個々のハリス２３先端にはイカヅノ９を繋ぎ、ミキイト２２の先端には図示しない錘を付ける。
【００３３】
上記のクランプ状態では、各筒状ポケット３が船縁２０から突出する一方、保持板６の第１の保持部１１が上方に位置し、保持片５の第２の保持部１６が下方に位置する。
【００３４】
各筒状ポケット３には、イカヅノ９の柄部を、その先端が各筒状ポケット３の開口から突出するように挿入する。
この場合、イカヅノ９の柄部が筒状ポケット３内底面のマグネット１０に磁気吸着されて保持される。
一方、保持板６の第１の保持部１１には、図２に示すように、ミキイト２２のイカヅノ接続部の近傍部分を円形の孔１１Ｃ内に保持し、保持片５の第２の保持部１６には、図１に示すように、ミキイト２２の隣接部を２つ折りにした状態で円形の孔１６Ｃ内に保持しておく。
さらに、錘を余った筒状ポケット３などを利用して挿入しておけば良い。
【００３５】
そして、錘を海中に投げ込むことにより、それに引かれて各筒状ポケット３内のイカヅノ９が順次筒状ポケット３から滑り出して、海中に投入される。
かかるイカヅノ投入器１によると、セット時には、ミキイト２２のイカヅノ接続部の近傍部分を、保持板６の第１の保持部１１（円形の孔１１Ｃ内）に保持し、ミキイト２２の隣接部を２つ折りにした状態で、保持片５の第２の保持部１６（円形の孔１６Ｃ内）に保持しておくため、ミキイト２２の位置を確実に保持でき、孔１１Ｃ、１６Ｃからミキイトが外れることはない。
【００３６】
したがって、強風や荒波による振動などの影響で、ミキイト２２が煽られて、隣接する複数のミキイトが互いに絡み合うことがなく、セットも素早く簡単に行うことができ、イカヅノ９投入時には、ミキイトが引っかかることなく上記孔からスムーズに飛び出し投入できると共に、絡み合った部分を解く必要がないため、多大な手間を要せず、効率良く釣りを行うことができ、使用性が良好である。特に、ミキイト２２が長くても、絡み合い難い。
【００３７】
また、保持片５を分離可能にし、使用時には、折り畳み式アーム４を延ばし、このアーム４に保持片５を結合し、使用しないときには、保持片５を外し、図３の矢印Ａ方向に、アーム部材４Ｂを回動して、アーム部材４Ａに重ねた後、同図の矢印Ｂ方向に、アーム部材４Ａ，４Ｂの重合体を回動して、取付ブラケット７底面位置に収納するように構成したから、不使用時には、全体を小型、コンパクトにすることができ、面積や重量も低減することができるため、携帯するのにすこぶる便利であるなど、運搬も簡単に行え、保管にも有利である。
さらに、構成も簡単で、材料費も低減できるため、価格的に安価に提供することができる。
【００３８】
特に、本実施形態によると、各筒状ポケット３内底面には、イカヅノ９が磁気吸着可能なマグネット１０を取り付けるようにしたから、イカヅノ９を筒状ポケット３内部に確実に保持することができ、振動などで、イカヅノ９が筒状ポケット３から飛びだしてしまうことがない。
しかも、マグネット１０であるため、イカヅノ９の投入にも支障を来すことがない。
【００３９】
また、保持片５の長手方向の両端下面にマグネット１５を取り付け、保持片５をアーム４に磁気吸着させて組み付けるようにしたから、ワンタッチでアーム４に対して着脱することができ、作業性が良好であり、しかも、アーム４に対する組み付け位置を任意で調整できるため、ミキイト２２の長さの応じて、保持板６から保持片５までの長さを容易に調整でき、便利である。
【００４０】
さらに、アーム４を、それぞれ互いにボルト・ナット１２などで回動自由に連結されて折り畳み可能な２つのアーム部材４Ａ，４Ｂから構成したから、使用時にはアーム４を長くすることができ、不使用時にはアーム４を短く畳むことができ、使用性を向上しつつ、コンパクト化も図ることができる。
【００４１】
また、保持板６と保持片５とを、可撓性かつ耐水性を有するスポンジなどの素材により形成したから、ミキイト２２を保持部１１，１６に保持し易く、イカヅノ９のやりとりをスムーズに行えるなど作業性が良好であると共に、海水に対しても強度的に優れたものとすることができる。
【００４２】
【発明の効果】
以上説明したように、請求項１に係る発明のイカヅノ投入器によれば、ミキイトの位置を確実に保持でき、隣接する複数のミキイトが互いに絡み合うことがなく、セットも素早く簡単に行うことができ、イカヅノをスムーズに投入できると共に、絡み合った部分を解く必要がないため、多大な手間を要せず、効率良く釣りを行うことができ、使用性が良好であると共に、不使用時には、全体を小型、コンパクトにすることができ、面積や重量も低減することができるため、携帯するのにすこぶる便利であるなど、運搬も簡単に行え、保管にも有利であり、しかも、構成も簡単で、材料費も低減できるため、市場に安価に提供することができる。
【００４３】
請求項２に係る発明によれば、イカヅノを筒状ポケット内部に確実に保持することができ、振動などで、イカヅノが筒状ポケットから飛びだしてしまうことがなく、イカヅノの投入にも支障を来すことがない。
【００４４】
請求項３に係る発明によれば、保持片をワンタッチでアームに対して着脱することができ、作業性が良好であり、しかも、ミキイトの長さの応じて、保持板から保持片までの長さを容易に調整でき、便利である。
【００４５】
請求項４に係る発明によれば、折り畳み式アームの使用性を向上しつつ、コンパクト化も図ることができる。
【００４６】
請求項５に係る発明によれば、ミキイトを保持板と保持片の保持部に保持し易く、イカヅノのやりとりをスムーズに行えるなど作業性が良好であると共に、海水に対しても強度的に優れたものとすることができる。
【図面の簡単な説明】
【図１】本発明に係るイカヅノ投入器の一実施形態を示す正面図
【図２】その上面図
【図３】その背面図
【図４】（Ａ）は、同上のイカヅノ投入器における保持片の正面図、（Ｂ）は、（Ａ）の平面図
【図５】同上のイカヅノ投入器における保持板と保持片の形成方法を示す正面図
【符号の説明】
１  イカヅノ投入器
２  基台
３  筒状ポケット
４  折り畳み式アーム
５  保持片
６  保持板
９  イカヅノ
１０  マグネット
１１  第１の保持部
１１Ｃ  孔
１５  マグネット
１６  第２の保持部
１６Ｃ  孔
【図１】
2005046017.tif 000003
【図２】
2005046017.tif 000004
【図３】
2005046017.tif 000005
【図４】
2005046017.tif 000006
【図５】
2005046017.tif 000007